(57)【要約】【課題】  全体構造が簡単で小型化、軽量化及び低コスト化を図りつつ、柔らかい生地を縫製対象とする場合でも、縫い皺などの発生を防止でき、また、糸の種類や太さに関係なく高い縫製品質のボタン付けを行うことができるボタン付けミシンを提供する。【解決手段】  ボタン付け縫製時に、生地ホルダー１０を所定位置に固定保持して該生地ホルダー１０の左右Ｘ−Ｘ方向への移動を停止する状態と、生地ホルダー１０の位置固定を解除して該生地ホルダー１０をボタンホルダー５と共に可動テーブル２２を介して前後Ｙ−Ｙ方向・左右Ｘ−Ｘ方向に移動させる状態とに切換え可能な生地ホルダーの可動・不動切換機構を設け、この切換機構中に、生地ホルダーの固定保持位置を左右方向に一定範囲内で調整可能な位置調整機構４１が組み込まれている。【選択図】図４
2008006253.tif 000002
【特許請求の範囲】
【請求項１】
ミシン主軸に連動する上下の往復運動により針糸をボタンの各穴に通して生地にボタン付け縫製を行う針と、この針が上下に通過移動する針落ち孔を有する針板と、二つ折りした生地の中間に挿入されて該生地を保持する生地ホルダーと、前記ボタンをその穴に針が貫通するボタン付け姿勢に保持するボタンホルダーと、このボタンホルダーをこれに保持されたボタンの各穴が前記針板の針落ち孔に合致するように水平面内の互いに直交する前後・左右方向に駆動移動させる可動テーブルと、ボタン付け縫製時に前記生地ホルダーを所定位置に固定保持して該生地ホルダーの左右方向移動を停止する第１状態及び前記生地ホルダーの固定保持を解除して該生地ホルダーを前記ボタンホルダーと共に前後・左右方向に移動させる第２状態に切換え可能な生地ホルダーの可動・不動切換機構とを備えているボタン付けミシンであって、
前記可動・不動切換機構には、該切換機構が前記第１状態にあるとき、前記生地ホルダーの固定保持位置を前記左右方向に一定範囲内で調整可能な位置調整機構が組み込まれていることを特徴とするボタン付けミシン。
【請求項２】
前記可動・不動切換機構は、前記生地ホルダーを前記針板から遠ざけて生地を二つ折りに保持させる位置と二つ折りに保持された生地を前記針板上に搬送して載置固定する位置とに亘り駆動揺動させるための生地ホルダー揺動腕の基部を前記左右方向に摺動可能に保持する水平軸と同軸心周りに揺動自在に枢支され、かつ、その両端に係合爪部を有する略Ｌ字形状のクランクリンクと、前記生地ホルダーが針板に対して所定位置に位置された状態で前記クランクリンクを前記軸心周りに揺動させたとき、両端の係合爪部が択一的に係合するように前記可動テーブル側及び固定部側に設けられた二つの被係合部材と、前記クランクリンクを前記両端の係合爪部が択一的に二つの被係合部材に係合するように揺動駆動する第１アクチュエータとから構成され、この可動・不動切換機構に組み込まれている前記位置調整機構は、前記第１状態において前記クランクリンクの一方の係合爪部が係合する一方の被係合部材を左右方向に一定範囲内で摺動自在に支持するように固定部側に固定された被係合部材ホルダーとこの被係合部材ホルダーに対して前記一方の被係合部材を左右方向に駆動摺動させる第２アクチュエータとから構成されている請求項１に記載のボタン付けミシン。
【請求項３】
前記被係合部材ホルダーには、前記一方の被係合部材の左右方向の摺動範囲を調節可能なストッパーが設けられている請求項２に記載のボタン付けミシン。
【請求項４】
前記可動・不動切換機構が、生地とボタンとの間に亘るボタン付け糸の両側に、交互に針を落として根巻き縫製するミシンに備えられている請求項１ないし３のいずれかに記載のボタン付けミシン。
【発明の詳細な説明】
【技術分野】
【０００１】  本発明は、紳士・婦人服上衣やベストの前ボタン、内ポケット用ボタン、ズボンのピスポケット用ボタン等のように、各種の縫製品にボタンを縫着する場合に用いられるボタン付けミシンに関する。詳しくは、ミシン主軸に連動する針の上下往復運動により針糸をボタンの各穴に通して生地にボタン付け縫製を行うように構成されているボタン付けミシンに関するものである。
【背景技術】
【０００２】  この種のボタン付けミシンは、基本的に、針が上下に通過移動する針落ち孔を有する針板と、二つ折りした生地の中間に挿入されて該生地を保持する生地ホルダーと、ボタンをその穴に針が貫通するボタン付け姿勢に保持するボタンホルダーと、このボタンホルダーをこれに保持されたボタンの各穴が前記針板の針落ち孔に合致するように水平面内の互いに直交する二次元方向（前後・左右方向）に駆動移動させる可動テーブルとを備えている。このような基本構成を備えた従来一般のボタン付けミシンにおいては、ボタン付け縫製時、前記生地ホルダー及びボタンホルダーを、前記可動テーブルを介して、ボタンホルダーに保持されたボタンの各穴が前記針板の針落ち孔と合致するように水平面内の互いに直交する前後・左右方向に一体に駆動移動させることにより、生地にボタン付け縫製するように構成されていた（例えば、特許文献１参照）。【０００３】  しかし、上記した従来一般のボタン付けミシンでは、ボタン付け縫製時におけるボタンと生地との相対的な位置関係が常に一定であるために、図１２に示すように、ボタン５０の左右の穴ピッチｄ１と生地５１への縫いピッチｄ２が等しく左右のボタン付け糸ＬＮ，ＲＮが互いに平行に位置する、いわゆる、平行縫い付けとなる。このような平行縫い付けの場合は、非常に柔らかい生地を縫製対象とするとき、左右のボタン付け糸ＬＮ，ＲＮ間の生地部分が盛り上がったり、縫い皺が発生したりして風合いが悪くなる。【０００４】  特に、ボタン付け縫製後、図１３のＯを第１針目としてＡ〜Ｎで示す順番に、生地５１とボタン５０との間に亘る左右のボタン付け糸ＬＮ，ＲＮの両側に交互に針を落として根巻き糸ＢＮによりボタン付け糸ＬＮ，ＲＮを補強する根巻き縫製（これは手縫いでも機械縫いでもよい）を行う場合、根巻き糸ＢＮの締め付け力によって、図１４に示すように、左右のボタン付け糸ＬＮ，ＲＮ間の生地部分が左右から引き寄せられて盛り上がり、大きな縫い皺ｘが発生し、縫製品質の低下を招くという問題がある。【０００５】  このような左右のボタン付け糸間の生地部分の盛り上がりや縫い皺などの発生をなくし縫製品質の向上を図らんとするボタン付けミシンとして、従来、ボタンホルダーをこれに保持されたボタンの各穴が針板の針落ち孔と合致するように水平面内の互いに直交する前後・左右方向に駆動移動させる第１の可動テーブルと、生地ホルダーを水平面内の互いに直交する前後・左右方向に駆動移動させる第２の可動テーブルとを各別に設け、これら第１及び第２の可動テーブルの移動ピッチを独立制御可能に構成して、ボタン付け縫製時において、ボタンを第１の可動テーブルを介して左右の穴ピッチ（図１２中のｄ１）に対応する量だけ左右移動させる一方、生地を第２の可動テーブルを介してボタンの左右の穴ピッチより小さい量（図１２中のｄ２＜ｄ１）だけ左右移動させることによって、左右のボタン付け糸をＶ字形状に縫い付けて縫い皺等の発生をなくして風合い、品質のよいボタン付け縫製が行えるように構成したものが提案されている（例えば、特許文献２参照）。【０００６】
【特許文献１】  特公平７−４９０７６号公報
【特許文献２】  特許第２７１１０２４号公報
【発明の開示】
【発明が解決しようとする課題】
【０００７】  上記特許文献２で提案されている従来のボタン付けミシンによると、特許文献１に示す従来一般のボタン付けミシンが有する問題点、すなわち柔らかい生地へのボタン付け縫製時に左右のボタン付け糸間の生地部分が盛り上がったり、縫い皺が発生したりして風合いが悪化すること、特に、根巻き縫製する場合、根巻き糸の締め付け力によって、左右のボタン付け糸間の生地部分が左右から引き寄せられて盛り上がるなどして生地に大きな縫い皺が発生して、縫製品質が低下することを解消できるものの、そのような縫製品質の向上を図るためには、ボタンホルダーを水平面内の互いに直交する前後・左右方向に駆動移動させる第１の可動テーブルと生地ホルダーを水平面内の互いに直交する前後・左右方向に駆動移動させる第２の可動テーブルとを各別に設けねばならないだけでなく、それら第１，第２の可動テーブルの左右移動量が互いに異なるように第１，２の可動テーブルを独立的に制御可能な制御機能をもたせることも必要であって、ボタン付けミシン全体の構造が非常に複雑化し、かつ、大型化、重量化し、それだけミシンコストが上昇することは避けられない。また、二つの可動テーブルが駆動移動する際の振動や騒音も大きく、作業環境の面からも好ましくないという問題があった。【０００８】  本発明は上述の実情に鑑みてなされたもので、全体構造が簡単で小型化、軽量化及び低コスト化を図りつつ、柔らかい生地を縫製対象とする場合であっても、縫い皺などの発生を防止でき、しかも、ボタン付け糸の種類や太さに関係なく高い縫製品質でのボタン付けを行うことができるボタン付けミシンを提供することを目的としている。
【課題を解決するための手段】
【０００９】  上記目的を達成するために、本発明に係るボタン付けミシンは、ミシン主軸に連動する上下の往復運動により針糸をボタンの各穴に通して生地にボタン付け縫製を行う針と、この針が上下に通過移動する針落ち孔を有する針板と、二つ折りした生地の中間に挿入されて該生地を保持する生地ホルダーと、前記ボタンをその穴に針が貫通するボタン付け姿勢に保持するボタンホルダーと、このボタンホルダーをこれに保持されたボタンの各穴が前記針板の針落ち孔に合致するように水平面内の互いに直交する前後・左右方向に駆動移動させる可動テーブルと、ボタン付け縫製時に前記生地ホルダーを所定位置に固定保持して該生地ホルダーの左右方向移動を停止する第１状態及び前記生地ホルダーの固定保持を解除して該生地ホルダーを前記ボタンホルダーと共に前後・左右方向に移動させる第２状態に切換え可能な生地ホルダーの可動・不動切換機構とを備えているボタン付けミシンであって、前記可動・不動切換機構には、該切換機構が前記第１状態にあるとき、前記生地ホルダーの固定保持位置を前記左右方向に一定範囲内で調整可能な位置調整機構が組み込まれていることを特徴としている。
【発明の効果】
【００１０】  上記のごとき特徴構成を有する本発明によれば、ボタン付け縫製時、生地ホルダーの可動・不動切換機構を生地ホルダーが所定位置に固定保持されて該生地ホルダーの左右方向移動が停止された第１状態とし、ボタンホルダーのみを左右の穴ピッチに対応する量だけ左右方向に移動させて左右二つの穴に対して順次縫い付けることによって、左右のボタン付け糸を互いに平行でなく、Ｖ字形状に縫い付けることができ、柔らかい生地を縫製対象とする場合であっても、左右のボタン付け糸間の生地部分の盛り上がりや縫い皺等の発生による風合いの悪化を防ぐことができる。しかも、前記可動・不動切換機構が上記の第１状態にあるとき、生地ホルダーの左右方向での固定保持位置を使用するボタン付け糸の種類や太さに応じて調整することが可能であり、その調整によって左右のボタン付け糸が共に生地の一点に集中して糸切れしたり、糸が重なり合って生地が局部的に膨れたり不具合を回避することができる。したがって、縫製対象生地の柔らかさ及び糸の種類や太さに関係なく、常に縫製品質のボタン付けを行うことができる。【００１１】  加えて、生地ホルダーを所定位置に固定保持する第１状態と位置固定を解除する第２状態とに切換え可能で、その第１状態において生地ホルダーの固定保持位置を左右方向に一定範囲内で調整可能な位置調整機構を組み込んだ生地ホルダーの可動・不動切換機構とを設けるだけでよく、Ｖ字形状の縫い付けを達成するためにボタンホルダー及び生地ホルダーを各別に駆動移動させる二つの可動テーブル及びそれら二つの可動テーブルを独立的に制御するための制御機能を備えさせてなる特許文献２で示される従来のボタン付けミシンに比べて、全体構造を簡単にしてミシン全体の小型化、軽量化並びに低コスト化を図ることができるとともに、振動や騒音も非常に少なく、ボタン付け縫製時の作業環境を良好なものにすることができる。【００１２】  また、生地ホルダーの可動・不動切換機構を切換えて左右のボタン付け糸をＶ字形状に縫い付けるボタン付けと、該可動・不動切換機構を可動にしたまま、すなわち、生地ホルダー及びボタンホルダーを前記可動テーブルを介してボタンホルダーに保持されたボタンの各穴が前記針板の針落ち孔と合致するように水平面内の互いに直交する前後・左右方向に同量一体に駆動移動させることによる従来どおりの平行縫い付けのボタン付けとに切換えて使用することも可能であって、一台のミシンを複数の縫製形態のボタン付けに使用することができるという効果を奏する。【００１３】  本発明に係るボタン付けミシンにおけろ前記可動・不動切換機構としては、請求項２に記載のように、前記生地ホルダーを前記針板から遠ざけて生地を二つ折りに保持させる位置と二つ折りに保持された生地を前記針板上に搬送して載置固定する位置とに亘り駆動揺動させるための生地ホルダー揺動腕の基部を前記左右方向に摺動可能に保持する水平軸と同軸心周りに揺動自在に枢支され、かつ、その両端は係合爪部を有する略Ｌ字形状のクランクリンクと、前記生地ホルダーが針板に対して所定位置に位置された状態で前記クランクリンクを前記軸心周りに揺動させたとき、両端の係合爪部が択一的に係合するように前記可動テーブル���及び固定部側に設けられた二つの被係合部材と、前記クランクリンクを前記両端の係合爪部が択一的に二つの被係合部材に係合するように揺動駆動する第１アクチュエータとから構成され、この可動・不動切換機構に組み込まれている前記位置調整機構は、前記第１状態において前記クランクリンクの一方の係合爪部が係合する一方の被係合部材を左右方向に一定範囲内で摺動自在に支持するように固定部側に固定された被係合部材ホルダーとこの被係合部材ホルダーに対して前記一方の被係合部材を左右方向に駆動摺動させる第２アクチュエータとから構成されているものが好ましい。このような構成の可動・不動切換機構を用いることで、全体構造の小型化、軽量化、低コスト化を実現できるとともに、前記第１アクチュエータには予め可動・不動の切換えタイミングをプログラムし、かつ、第２アクチュエータには糸の種類や太さに対応して予め一方の被係合部材の左右方向の摺動量及び摺動タイミングをプログラムしておくことにより、上述したような高縫製品質のボタン付けを確実かつ自動連続的に行えてボタン付け作業効率の著しい増進を達成することができる。【００１４】  また、請求項３に記載のように、前記被係合部材ホルダーに、前記一方の被係合部材の左右方向の摺動範囲を調節可能なストッパーを設けることにより、前記第２アクチュエータによる一方の被係合部材の左右方向の摺動範囲を調節して左右のボタン付け糸が共に生地の一点に集中することによる糸切れや糸の重なり合いによる生地の局部的な膨れといった不具合を回避しながらも、所定のＶ字形状の縫い付けを確保することができる。【００１５】  さらに、本発明は、請求項４に記載のように、前記可動・不動切換機構が、生地とボタンとの間に亘るボタン付け糸の両側に、交互に針を落として根巻き縫製するミシンに備えられている場合は、ボタン付けとそのボタン付け糸を補強する根巻きとを連続して行えるだけでなく、根巻き糸の締め付け力によって、左右のボタン付け糸間の生地部分に発生する縫い皺の発生もなくして縫製品質の向上を確実に達成することができる。
【発明を実施するための最良の形態】
【００１６】  以下、本発明の実施の形態を図面にもとづいて説明する。
図１は本発明に係るボタン付けミシンの要部の概略斜視図、図２は要部の分解斜視図である。これら図１，図２において、１は針で、ミシンアーム２内に設けたミシン主軸（図示省略する）に連動して上下に往復運動する。３は生地ガイドで、この生地ガイド３の下側には、前記針１が上下に通過移動する針落ち孔を有する針板４（図６及び図７参照）が密接状態に配置固定されている。５はボタンホルダーで、４つ穴ボタン６（図８及び図１１参照）をその周部の両側から弾性的に保持するように構成されており、シリンダ７の伸張収縮により連結杆８，９を介してボタン付け縫製姿勢と根巻き縫製姿勢とに回転切換自在に構成されている。【００１７】  １０は生地ホルダーで、ボタン６を縫製する生地１１（図６参照）を二つ折りにし、その二つ折り生地１１の中間に挿入されて該生地１１を固定保持するように形成されている。この生地ホルダー１０は、シリンダ１２の収縮伸張により連結杆１３，１４、水平軸１５、連結腕１６及び連結軸１７を介して前記水平軸１５の軸心周りに回転揺動可能で、かつ、前記水平軸１５にその軸心方向に摺動可能に保持された生地ホルダー揺動腕１８に取付部品１９を介して固定されており、前記シリンダ１２の伸張及び収縮により生地ホルダー１０を水平軸１５の軸心周りに回転揺動させることにより、この生地ホルダー１０を前記針板４から遠ざけて生地１１を二つ折りに保持させる位置と、保持された二つ折り生地１１を前記針板４上に搬送して生地ガイド３の上面に載置固定する位置とに亘り切換え可能に構成されている。【００１８】  図１において、２０は生地押えで、この生地押え２０は、前記生地ホルダー１０によって生地ガイド３上に載置された二つ折り生地１１の上面にシリンダ２１を介して斜め上方から当接されて該生地１１の撓みを防ぐものである。【００１９】  ２２は可動テーブルで、この可動テーブル２２は図示省略した二つのステッピングモータ及びタイミングベルトを介して水平面内で互いに直交する前後Ｙ−Ｙ方向・左右Ｘ−Ｘ方向に駆動移動可能に構成されている。この可動テーブル２２の左右両側には左右一対の生地ホルダー腕２３，２４が固定され、この左右一対の生地ホルダー腕２３，２４の中間部間に亘って取付片２５，２６を介して前記生地ガイド３が固定連結されているとともに、左右一対の生地ホルダー腕２３，２４の下端部間に亘って前記水平軸１５が掛け渡し固定されている。【００２０】  ２７はボタンホルダー腕で、このボタンホルダー腕２７は腕継手２８を介して前記可動テーブル２２に支持され、これによって、ボタンホルダー腕２７及びボタンホルダー５は前記可動テーブル２２を介して前記の前後Ｙ−Ｙ方向・左右Ｘ−Ｘ方向に一体に駆動移動可能に構成されている。２９は生地ホルダー調節板で、左側の生地ホルダー腕２３の外側に沿って設けられ、その下端部が前記水平軸１５の周りに揺動自在に取り付けられている。３０は軸腕ストッパーで、前記連結杆１４に固定され、前記生地ホルダー調節板２９の中間部上辺に当接可能に折り曲げられている。【００２１】  前記生地ホルダー揺動腕１８の基部には、図２及び図４〜図７に示すように、切込溝３１が形成され、この切込溝３１内には、両端に係合爪部��２ａ，３２ｂを有する略Ｌ字形状のクランクリンク３２の折曲部が嵌め込まれ、かつ、前記水平軸１５の軸心周りに揺動自在に枢支されている。また、前記左右一対の生地ホルダー腕２３，２４間には前記水平軸１５と平行に別の水平軸３３が掛け渡し固定されており、この水平軸３３の中間部分及びそれの後方に位置するミシンフレーム３４部分には、前記生地ホルダー１０が針板４に対して所定位置に位置された状態で前記クランクリンク３２を水平軸１５の軸心周りに揺動させたとき、該クランクリンク３２両端の係合爪部３２ａ，３２ｂが択一的に係合する被係合部３５及び３６を形成するように左右一対のカラー部材３５ａ及び二股状の被係合部材３６ａが取り付けられている。さらに、前記生地ホルダー揺動腕１８にはシリンダ取付台３７を介して上下に作動するシリンダ（第１アクチュエータ）３８が固定保持され、このシリンダ３８の作動ロッド３８ａの先端に連結片３９及び連結ピン４０を介して前記クランクリンク３２が枢支連結されている。なお、前記被係合部３６はこれに係合した係合爪部３２ｂの前後Ｙ−Ｙ方向への移動は許容するように前後方向に貫通している。【００２２】  以上の各構成によって、シリンダ３８の伸縮作動に伴い前記クランクリンク３２を水平軸１５の軸心周りに揺動させて該クランクリンク３２の一方の係合爪部３２ｂを二股状位置決め部材３６ａの被係合部３６に係合させることにより、図５及び図７に示すように、生地ホルダー１０を所定位置に固定保持させて該生地ホルダー１０の左右方向移動のみを停止する第１状態と、前記クランクリンク３２の他方の係合爪部３２ａを左右一対のカラー部材３５ａの被係合部３５に係合させることにより、図４及び図６に示すように、生地ホルダー１０の位置固定を解除して該生地ホルダー１０を可動テーブル２２を介してボタンホルダー５と共に前後・左右方向に移動させる第２状態とに切換え可能な生地ホルダーの可動・不動切換機構が構成されている。【００２３】  前記生地ホルダーの可動・不動切換機構には、該機構が図５及び図７に示す前記第１状態にあるとき、前記生地ホルダー１０の固定保持位置を左右方向の一定範囲内で調整可能とするための位置調整機構４１が組み込まれている。この位置調整機構４１は、前記クランクリンク３２の一方の係合爪部３２ｂが係合する一方の被係合部３６を形成する二股状の被係合部材３６ａを左右方向の一定範囲内で摺動し固定するもので、次のように構成されている。【００２４】  図３は前記位置調整機構４１の構成を説明する要部の分解拡大斜視図であり、ミシンフレーム３４の下面に止めネジ４２を介して固定された下向き開口コ字形の被係合部材ホルダー４３内にその左右側板間に亘り互いに平行に二本のピン４４が掛け渡し固定され、この二本のピン４４に前記被係合部材３６ａの左右対向板部に形成の孔４５を挿通させることにより、該被係合部材３６ａが前記被係合部材ホルダー４３の左右側板間で規定される一定範囲内で左右方向に摺動自在に支持されている。前記被係合部材ホルダー４３の左右いずれか一方の外側には止めネジ４６を介してミシンフレーム３４の下面に固定されたサポート４８に保持されたエアシリンダ（第２アクチュエータ）４７が��置されており、このエアシリンダ４７の伸縮作動ロッド４７ａを被係合部材ホルダー４３の一方の側板に形成した孔４３ａを通して前記被係合部材３６ａに連結固定することにより、前記エアシリンダ４７の伸縮作動に伴い被係合部材３６ａ及び被係合部３６が左右方向に前記一定範囲内で駆動摺動可能に構成されている。【００２５】  また、前記被係合部材ホルダー４３の他方の側板には、ねじ孔４９が形成され、このねじ孔４９にその先端が前記被係合部材３６ａの外面に当接するボルト状のストッパー５０が螺合されており、このボルト状ストッパー５０を被係合部材ホルダー４３に対して出退させ、かつ、ナット５１を介して固定することにより、前記被係合部材３６ａの左右方向の摺動範囲が調節可能に構成されている。【００２６】  なお、前記左右一対の生地ホルダー腕２３，２４間には前記水平軸１５の他にこれと平行な軸５２が掛け渡し固定されており、これら両軸１５，５２で姿勢保持させる状態で生地押え取付台５３が設けられ、この生地押え取付台５３の上端部に取付板５４を介して前記生地押え２０用のシリンダ２１が固定保持されている。【００２７】  次に、上記のごとく構成されたボタン付けミシンによるボタン付け縫製動作について説明する。
まず、図示省略したシリンダの作動や手動レバーの操作により、ボタンホルダー５に４つ穴ボタン６を弾性的に保持させ、続いて、シリンダ７の伸張により前記ボタンホルダー５をボタン付け縫製姿勢にするとともに、生地ホルダー１０に生地１１を二つ折りにしてセットする。【００２８】  次いで、図示省略したペダルの踏み込みによってシリンダ１２を伸張させて前記生地ホルダー１０を水平軸１５の軸心周りに回転揺動させることにより、この生地ホルダー１０に保持された二つ折り生地１１を針板４上に搬送して生地ガイド３の上面に載置固定するとともに、シリンダ２１の伸張により生地押え２０を二つ折り生地１１の上面に当接させて生地１１の撓みを防ぐ。このとき、シリンダ３８の伸張作動によりクランクリンク３２は水平軸１５の軸心周りに揺動されて該クランクリンク３２の一方の係合爪部３２ｂは被係合部３６に係合されており、これによって、図５及び図７に示すように、生地ホルダー１０はミシンフレーム３４の所定位置に固定保持されて該生地ホルダー１０の左右Ｘ−Ｘ方向への移動が停止された第１状態になっている。【００２９】  この第１状態でミシンを作動させて、可動テーブル２２を介してボタンホルダー５及び生地ホルダー１０をボタン６の４つ穴のうち右側の前後穴６Ｒｆ，６Ｒｒのピッチｄ２に対応する距離だけ前後Ｙ−Ｙ方向に往復移動させることにより、図８に示すように、ボタン６の右側の前後穴６Ｒｆ，６Ｒｒに対してボタン付け糸ＲＮによって予め設定された運針数でのボタン付け縫製が行われる。【００３０】  続いて、ボタン６の４つ穴のうち左側の前後穴６Ｌｆ，６Ｌｒに対するボタン付け縫製に移行するのであるが、このときも、前記クランクリンク３２の一方の係合爪部３２ｂは図５及び図７に示すように、被係合部３６に係合保持されており、これによって、前記生地ホルダー１０はミシンフレーム３４の所定位置に位置固定保持されて該生地ホルダー１０の左右Ｘ−Ｘ方向への移動は停止されたままの状態にある。【００３１】  この状態でミシンを作動させて可動テーブル２２を介してボタンホルダー５のみをボタン６の４つ穴のうち左右穴ピッチｄ１に対応する距離だけ左右Ｘ−Ｘ方向に移動させた上、可動テーブル２２を介してボタンホルダー５及び生地ホルダー１０を左側の前後穴６Ｌｆ，６Ｌｒのピッチｄ２に対応する距離だけ前後Ｙ−Ｙ方向に往復移動させることにより、図８に示すように、ボタン６の左側の前後穴６Ｌｆ，６Ｌｒに対してボタン付け糸ＬＮによって予め設定された運針数でのボタン付け縫製が行われる。【００３２】  上記のように、ボタン付け縫製時、生地ホルダー１０を所定位置に固定保持して該生地ホルダー１０の左右Ｘ−Ｘ方向への移動を停止した第１状態で、ボタンホルダー５のみを左右の穴ピッチｄ１に対応する量だけ左右Ｘ−Ｘ方向に移動させて右左各二つの前後穴６Ｒｆ，６Ｒｒ及び６Ｌｆ，６Ｌｒに対して順次縫い付けることによって、右左のボタン付け糸ＲＮ，ＬＮを生地１１に対して、図９に示すように、Ｖ字形状に縫い付けることが可能であり、これによって、柔らかい生地１１を縫製対象とする場合であっても、縫い皺等の発生による風合いの悪化を生じることなく高品質のボタン付け縫製を行う��とができる。【００３３】  そして、上記した第１状態でのボタン付け縫製時において、ボタン付け糸ＲＮ，ＬＮの種類や太さに応じて、前記位置調整機構４１におけるシリンダ４７を伸縮作動させてクランクリンク３２の一方の係合爪部３２ｂが係合する一方の被係合部３６を形成する二股状の被係合部材３６ａを二本のピン４４に沿って左右方向に摺動させて被係合部３６の位置、つまりは、生地ホルダー１０の左右方向での固定保持位置を調整することによって、左右のボタン付け糸ＬＮ，ＲＮを共に生地１１の一点に集中させることなく、図９に明示のとおり、互いに少し離れた生地１１部分に落として両糸ＬＮ，ＲＮの先端間に最大で３．５ｍｍ程度の隙間ｄを確保した状態のほぼＶ字形状に縫い付けることが可能である。したがって、それらボタン付け糸ＬＮ，ＲＮの先端が生地１１の一点に集中して縫い付けられ、その結果、糸切れを生じたり、糸同士が重なり合って生地１１部分が局部的に膨れたりするといった不具合の発生を回避し、ボタン付け糸ＲＮ，ＬＮの種類や太さに関係なく、品質の高いボタン付けを行うことができる。【００３４】  また、前記位置調整機構４１におけるボルト状ストッパー５０を被係合部材ホルダー４３に対して出退させ、かつ、ナット５１を介して固定して前記被係合部材３６ａ及び被係合部３６の左右方向の摺動範囲を調節することにより、前記両糸ＬＮ，ＲＮの先端間の隙間ｄの大きさも任意に調節してボタン付け糸ＲＮ，ＬＮの種類や太さに関係なく、前述のような不具合の発生を回避しながらも、ほぼＶ字形状の縫い付けによって柔らかい生地を縫製対象とする場合の風合いのよいボタン付けを確保することができる。【００３５】  以上のボタン付け縫製が完了した後は、シリンダ７が収縮してボタンホルダー５が連結杆８，９を介して回転し根巻き縫製姿勢に切換えられるとともに、シリンダ３８の収縮作動によりクランクリンク３２は水平軸１５の軸心周りに揺動されて該クランクリンク３２の一方の係合爪部３２ａが被係合部３５に係合され、これによって、図４及び図６に示すように、生地ホルダー１０が可動テーブル２２を介してボタンホルダー５と共に前後Ｙ−Ｙ方向及び左右Ｘ−Ｘ方向に一体移動可能な第２状態に切換えられている。【００３６】  この第２状態では、図示省略のマイコンユニットから出力される作動信号に基づいて可動テーブル２２が、図１０に示す第１針目の根巻き縫製位置Ｏに移動され、続いて、針１の上下往復運動に同期して前記可動テーブル２２を介してボタンホルダー５及び生地ホルダー１０が前後Ｙ−Ｙ方向及び左右Ｘ−Ｘ方向に予め設定されたピッチで往復運動されることにより、図１０のＡ〜Ｎで示す順番で、生地１１とボタン６の間に亘る右左のボタン付け糸ＲＮ、ＬＮの両側に交互に針１を落として根巻き糸ＢＮにより右左のボタン付け糸ＲＮ，ＬＮを補強する根巻き縫製が行われる。【００３７】  そして、この根巻き縫製によって補強される右左のボタン付け糸ＲＮ，ＬＮが生地１１に対してほぼＶ字形状に縫い付けられて右左のボタン付け糸ＲＮ，ＬＮ間には生地１１が存在しないために、根巻き糸ＢＮを強く締め付けたとしても、ボタン６の縫い付け箇所の生地１１部分が引き寄せられることに起因する縫���皺の発生がなく、図１１に示すように、縫製品質の高いボタン付け縫製を行うことができる。【００３８】  なお、上記実施の形態では、４つ穴ボタン６のうち右側の穴６Ｒｆ，６Ｒｒに対するボタン付け糸ＲＮと左側の穴６Ｌｆ，６Ｌｒに対するボタン付け糸ＬＮとが生地１１に対してＶ字形状に縫い付けるときの動作について説明したが、同じ４つ穴ボタン６であっても、クランクリンク３２の一方の係合爪部３２ａを被係合部３５に係合して、図４及び図６に示すように、生地ホルダー１０を常に可動テーブル２２を介してボタンホルダー５と共に前後Ｙ−Ｙ方向及び左右Ｘ−Ｘ方向に移動可能な状態としたままで右側の穴６Ｒｆ，６Ｒｒも左側の穴６Ｌｆ，６Ｌｒも縫い付けることによって、右左のボタン付け糸ＲＮ，ＬＮを図１２で示すような平行縫い付けとするように用いることも可能である。【００３９】  また、２つ穴ボタンを縫い付け対象とする場合は、その２つの穴を前後方向にセットして縫製するものであるから、図４及び図６に示すように、クランクリンク３２の一方の係合爪部３２ａを被係合部３５に係合して生地ホルダー１０を常に可動テーブル２２を介してボタンホルダー５と共に前後Ｙ−Ｙ方向及び左右Ｘ−Ｘ方向に移動可能な状態、あるいは、クランクリンク３２の他方の係合爪部３２ｂを被係合部３６に係合して生地ホルダー１０をボタンホルダー５と共に前後Ｙ−Ｙ方向に移動可能な状態の何れで用いても２つ穴ボタンを生地１１に縫い付けることが可能である。【００４０】  また、上記実施の形態では、１台のミシンでボタン付け縫製と根巻き縫製とを連続的に行えるように構成したもので説明したが、ボタン付け専用のミシンに適用してもよく、この場合も、柔らかい生地に対するボタン付け時における縫い皺などの発生を防止して縫製品質の向上効果を奏することができる。【００４１】  さらに、本発明における生地ホルダーの可動・不動切換機構としては、上記実施の形態で詳述した構成のものに限定されず、要するに、生地ホルダー１０を所定位置に位置固定保持して該生地ホルダー１０の左右方向移動を停止する状態と、生地ホルダー１０の位置固定を解除して該生地ホルダー１０を前記ボタンホルダー５と共に前後・左右方向に移動させる状態とに切換え可能なものであればどのような構成であってもよい。【００４２】  さらにまた、前記生地ホルダーの可動・不動切換機構に組み込まれる位置調整機構４１としては、上記実施の形態で詳述したような構成のものに限定されることなく、要は、被係合部３６を形成する被係合部材３６ａを左右方向に位置調整できるものであればどのような構成であってもよい。また、この位置調整機構４１の被係合部材ホルダー４３を固定保持するのはミシンフレーム３４に限らず、ミシンに付属する固定部であればどこであってもよい。
【図面の簡単な説明】
【００４３】
【図１】本発明に係るボタン付けミシンの要部の概略斜視図である。
【図２】要部の分解斜視図である。
【図３】生地ホルダーの可動・不動切換機構に組み込まれる位置調整機構の構成を説明する要部の分解拡大斜視図である。
【図４】生地ホルダーを位置固定解除した状態を示す要部の拡大斜視図である。
【図５】生地ホルダーを位置固定した状態を示す要部の拡大斜視図である。
【図６】図４に対応する状態を示す要部の拡大側面図である。
【図７】図５に対応する状態を示す要部の拡大側面図である。
【図８】ボタン付け縫製状態を説明するための要部の平面図である。
【図９】ボタン付け縫製状態を説明するための要部の正面図である。
【図１０】根巻き縫製位置の説明図である。
【図１１】ボタン付け完了状態を示す要部の斜視図である。
【図１２】従来一般のボタン付けミシンによるボタン付け縫製状態を説明するための要部の正面図である。
【図１３】図１２に示すボタン付け縫製後の根巻き縫製位置の説明図である。
【図１４】図１３に示す根巻き完了後の状態を説明する要部の正面図である。
【符号の説明】
【００４４】１  針
４  針板
５  ボタンホルダー
６  ボタン
６Ｌｆ，６Ｌｒ，６Ｒｆ，６Ｒｒ  ボタン穴
１０  生地ホルダー
１１  生地
１５  水平軸
１８  生地ホルダー揺動腕
２２  可動テーブル
３２  クランクリンク
３２ａ，３２ｂ  係合爪部
３４  ミシンフレーム
３５，３６  被係合部
３５ａ，３６ａ  被係合部材
３８  シリンダ（第１アクチュエータ）
４１  位置調整機構
４３  被係合部材ホルダー
４６  エアシリンダ（第２アクチュエータ）
５０  ストッパー
ＬＮ，ＲＮ  ボタン付け糸
ＢＮ  根巻き糸
【図１】
2008006253.tif 000003
【図２】
2008006253.tif 000004
【図３】
2008006253.tif 000005
【図４】
2008006253.tif 000006
【図５】
2008006253.tif 000007
【図６】
2008006253.tif 000008
【図７】
2008006253.tif 000009
【図８】
2008006253.tif 000010
【図９】
2008006253.tif 000011
【図１０】
2008006253.tif 000012
【図１１】
2008006253.tif 000013
【図１２】
2008006253.tif 000014
【図１３】
2008006253.tif 000015
【図１４】
2008006253.tif 000016